(57)【要約】  本発明の放送受信方法は、１２セグメント放送で予約した番組名と、予約実行により、１セグメント放送の録画を開始して１セグメント放送により取得した番組名と、を比較し、比較に相違が生じた場合、予約した番組名と１セグメント放送により取得した番組名とは相違があることを表示する。
2011027544.tif 000002
【特許請求の範囲】
【請求項１】
複数の階層により伝送される番組及び送信される番組に関する情報が記された番組情報を受信する受信部と、
前記受信部により受信した第１の階層により伝送された番組を記録部に出力する出力部と、
前記受信部で受信し、前記出力部により出力する所定の番組を予め指定する番組予約情報を入力する入力部と、
前記入力部により指定された前記番組予約情報を記録するメモリと、
前記メモリにより記録した番組予約情報と、前記受信部により受信した前記第１の階層の番組情報とを比較する比較部と、
前記番組予約情報と前記第１階層の番組情報とが異なる場合、
前記番組予約情報と前記第１階層の番組情報とが異なることを通知する実行部としての通知部と、を備える放送受信装置。
【請求項２】
前記実行部は、前記番組予約情報と前記第１階層の番組情報とを同時に表示することにより通知を行う請求項１記載の放送受信装置。
【請求項３】
前記実行部は、前記メモリに記録された前記番組予約情報の実行を停止する請求項１記載の放送受信装置。
【請求項４】
前記実行部は、前記番組予約情報と前記第１階層の番組情報とが異なる場合、前記第１階層の番組情報に対応する番組を前記受信部で受信するか否かを設定する設定部を、さらに備え、
前記設定部により前記第１階層の番組情報に対応する番組を前記受信部で受信しないと設定した場合、
前記メモリに記録された前記番組予約情報の実行を停止する請求項３記載の放送受信装置。
【請求項５】
前記第１の階層とは、他の階層と比較して、伝送される番組のデータ量が少ない階層である請求項１記載の放送受信装置。
【請求項６】
前記第１の階層とは、他の階層と比較して、前記送信される番組に関する情報が記された番組情報が少ない階層である請求項１記載の放送受信装置。
【請求項７】
前記比較部は、前記番組予約情報と前記第１の階層の番組情報との番組のタイトル、出演者、放送時間の少なくともいずれか一つにより比較を行う請求項１記載の放送受信装置。
【請求項８】
前記番組予約情報に基づいて予約番組をワンセグ放送相当としてエンコードするＡＶエンコーダを、さらに備え、
前記実行部は、前記比較部により前記番組予約情報と前記第１階層の番組情報とが異なる場合、
前記ＡＶエンコーダに、前記番組予約情報に基づいて前記予約番組をワンセグ放送相当としてエンコードさせ、
前記ワンセグ放送相当の前記予約番組を、前記出力部に出力させる、
請求項１記載の放送受信装置。
【請求項９】
受信部において、複数の階層により伝送される番組及び送信される番組に関する情報が記された番組情報を受信するステップと、
出力部において、前記受信部により受信した第１の階層により伝送された番組を記録部に出力するステップと、
入力部において、前記受信部で受信し、前記出力部により出力する所定の番組を予め指定する番組予約情報を入力するステップと、
メモリにおいて、前記入力部により指定された前記番組予約情報を記録するステップと、
比較部において、前記メモリにより記録した前記番組予約情報と、前記受信部により受信した前記第１の階層の前記番組情報とを比較するステップと、
実行部としての通知部において、前記番組予約情報と前記第１階層の前記番組情報とが異なる場合、
前記番組予約情報と前記第１階層の前記番組情報とが異なることを通知するステップと、
を備える放送受信方法。
【請求項１０】
前記実行部において、前記番組予約情報と前記第１階層の番組情報とを同時に表示することにより通知を行う請求項９記載の放送受信方法。
【請求項１１】
前記実行部において、前記メモリに記録された前記番組予約情報の実行を停止する請求項９記載の放送受信方法。
【請求項１２】
設定部において、前記番組予約情報と前記第１階層の番組情報とが異なる場合、
前記第１階層の番組情報に対応する番組を前記受信部で受信するか否かを設定するステップを、さらに備え、
前記設定するステップにより前記第１階層の番組情報に対応する番組を前記受信部で受信しないと設定した場合、
前記メモリに記録された前記番組予約情報の実行を停止する請求項１１記載の放送受信方法。
【請求項１３】
前記第１の階層とは、他の階層と比較して、伝送される番組のデータ量が少ない階層である請求項９記載の放送受信方法。
【請求項１４】
前記第１の階層とは、他の階層と比較して、前記送信される番組に関する情報が記された番組情報が少ない階層である請求項９記載の放送受信方法。
【請求項１５】
前記比較部において、前記番組予約情報と前記第１の階層の番組情報との番組のタイトル、出演者、放送時間の少なくともいずれか一つにより比較を行う請求項９記載の放送受信方法。
【請求項１６】
前記実行部において、前記比較部により前記番組予約情報と前記第１階層の番組情報とが異なる場合、
前記ＡＶエンコーダに、前記番組予約情報に基づいて前記予約番組をワンセグ放送相当としてエンコードさせ、
前記ワンセグ放送相当の前記予約番組を、前記出力部に出力させる、
請求項９記載の放送受信方法。
【請求項１７】
複数の階層により伝送される番組及び送信される番組に関する情報が記された番組表を作成するためのデータを生成するＥＰＧ信号発生部と、
前記番組表を作成するための前記データを送出するＥＰＧ送出部と、を備え、
第１の階層により非サイマル放送を放送する場合、
前記データに含まれるコンテント記述子に前記非サイマル放送であることを表すフラグを有する放送送信装置。
【請求項１８】
前記コンテント記述子の番組属性情報に、前記非サイマル放送を放送することを表す前記フラグを有する請求項１７記載の放送送信装置。
【発明の詳細な説明】
【技術分野】
【０００１】
本発明は、地上デジタル放送に含まれる１セグメント放送（携帯端末向け放送）と１２セグメント放送（ハイビジョン放送など）とのいずれも受信及び録画が可能な放送受信装置、放送受信方法、及びこれらの放送を送信する放送送信装置に関する。
【背景技術】
【０００２】
日本国内における、地上波デジタル放送では、１事業者に割り当てられている周波数帯域（１チャンネル）内に、セグメントと呼ばれる伝送単位が１３個多重化されている。放送事業者は、１３個のセグメントを利用して、家庭にあるテレビ向けの１２セグメント放送（ハイビジョン放送、或いは標準放送。以下、「１２セグ放送」と略記する）と、携帯端末向けに１セグメント放送（以下、「ワンセグ放送」と略記する）とを行なっている。【０００３】
２００８年３月末までは、一つの放送局から同一番組を放送する、いわゆるサイマル放送が義務付けられている。したがって、ワンセグ放送の番組内容は、１２セグ放送の番組内容と同じであった。しかし、２００８年４月１日改正放送法の施行によって、サイマル放送の義務化が解かれた。それに伴って、図１２に示すように、ワンセグ放送における独自番組の放送が部分的に始まった。【０００４】
１２セグ放送とワンセグ放送とがサイマル放送ではなく、ワンセグ放送が、独自番組であるかを判断する方法が開示されている（例えば、特許文献１参照）。しかし、この方法は、現在視聴している番組を判断するものであって、録画を予約した番組に対して行えるようなものではなかった。【０００５】
また、１２セグ放送とワンセグ放送が同じ番組をサイマル放送しているのを利用し、１２セグ放送の番組予約した場合、ワンセグ放送を同時に録画していた。そして、録画したワンセグ放送の番組を、別途用意した携帯端末にコピー、或いは別途用意した携帯端末で利用できるメディアに、コピー或いは移動していた。このようにして、１２セグ放送と同じ内容の番組であるワンセグ放送の番組を、別途用意した携帯端末において持ち出しし、番組を視聴できるようにしていた（例えば、特許文献２参照）。【０００６】
しかしながら、前述したように、サイマル放送の義務化が解かれ、部分的なワンセグ放送における独自番組の放送が始まった。そのため、１２セグ放送の番組表を用いて番組を予約すると、予約したはずの番組とは異なるワンセグ放送の独自番組が録画される場合が生じた。その結果、別途用意した携帯端末にて予約したワンセグ放送を視聴するまでは、期待した番組を録画できているのかが、分からないという課題が生じた。【０００７】
また、複数の放送ネットワーク（例えば、デジタル放送とアナログ放送）で、同じ時間帯に異なる番組を放送するような場合において、デジタル放送の番組表とアナログ放送の番組表とを比較して、異なる放送番組であることを通知するようにしていた（例えば、特許文献３参照）。しかしながら、ワンセグ放送の番組表は、放送中番組を含め最大１０番組で、テレビ局によっては２番組分しか放送していないので、１２セグ放送の番組表と比較して、情報量が少ない。そのため、ワンセグ放送の番組が放送開始する１時間から２時間前でないと、ワンセグ放送自体の番組データを取得ができなかった。したがって、例えば、１２セグ放送の番組表を用いて１週間後の番組を予約した場合、１２セグ放送の番組表を用いて予約した番組と同じ番組がワンセグ放送にあるのかを、予約した時点ではワンセグの番組表ではデータが無いために、判断することができないという課題があった。【０００８】
すなわち、図１３、図１４に示すように、ワンセグ放送の番組が放送開始する１時間から２時間前でないと、ワンセグ放送自体の番組データを取得ができなかった。したがって、例えば１２セグで１週間後の番組を予約した場合に、予約した時点では１２セグで予約した番組と同じ番組があるのかをワンセグの番組表からは、データが無いために判断することができないという課題があった。図１３、図１４では、１時間後のドラマ１の番組はサイマル放送であることが判明している。しかしながら、２時間後のドラマ２の番組はサイマル放送かどうか不明であるとして、例示している。【０００９】
その結果、図１５に示すように、ドラマ２の番組が非サイマルであった場合、ユーザーが１２セグ放送と想定して予約したはずの番組とは異なる番組（独自番組）が、ワンセグ放送で録画されてしまう。このように、ユーザーが、別途用意した携帯端末にて予約したワンセグ放送を視聴するまでは、期待した番組を録画できているのかが、分からないという課題があった。
【先行技術文献】
【特許文献】
【００１０】
【特許文献１】特開２００７−３６８１５号公報
【特許文献２】特開２００７−２５１８０３号公報
【特許文献３】特開２００８−１４７７０８号公報
【発明の概要】
【００１１】
本発明の放送受信装置は、受信部と出力部と入力部とメモリと比較部と実行部としての通知部とを備える。受信部は、複数の階層により伝送される番組及び送信される番組に関する情報が記された番組情報を受信する。出力部は、受信部により受信した第１の階層により伝送された番組を記録部に出力する。入力部は、受信部で受信し、出力部により出力する所定の番組を予め指定する番組予約情報を入力する。メモリは、入力部により指定された番組予約情報を記録する。比較部は、メモリにより記録した番組予約情報と、受信部により受信した第１の階層の番組情報とを比較する。実行部としての通知部は、番組予約情報と第１階層の番組情報とが異なる場合、番組予約情報と第１階層の番組情報とが異なることを通知する。
【００１２】
本構成によって、ワンセグ放送が、サイマル放送でなかったことが表示される。したがって、録画予約者が、意図しない放送を録画したことを、事前に確認できる。
【００１３】
また、本発明の放送受信方法は、受信部において、複数の階層により伝送される番組及び送信される番組に関する情報が記された番組情報を受信するステップと、出力部において、受信部により受信した第１の階層により伝送された番組を記録部に出力するステップと、入力部において、受信部で受信し、出力部により出力する所定の番組を予め指定する番組予約情報を入力するステップと、メモリにおいて、入力部により指定された番組予約情報を記録するステップと、比較部において、メモリにより記録した番組予約情報と、受信部により受信した第１の階層の番組情報と、を比較するステップと、実行部としての通知部において、番組予約情報と第１階層の番組情報とが異なる場合、番組予約情報と第１階層の番組情報とが異なることを通知するステップと、を備える。
【００１４】
また、本発明の放送受信装置は、ＥＰＧ信号発生部とＥＰＧ送出部とを備える。ＥＰＧ信号発生部は、複数の階層により伝送される番組及び送信される番組に関する情報が記された番組表を作成するためのデータを生成する。ＥＰＧ送出部は、番組表を作成するためのデータを送出する。第１の階層により非サイマル放送を放送する場合、データに含まれるコンテント記述子に非サイマル放送であることを表すフラグを有する。
【図面の簡単な説明】
【００１５】
【図１】図１は、本発明の実施の形態１における放送受信装置の構成を示すブロック図である。
【図２】図２は、本発明の実施の形態１における放送受信装置の動作を示すフローチャートである。
【図３】図３は、本発明の実施の形態１における録画番組一覧例のイメージ図である。
【図４】図４は、本発明の実施の形態２における放送受信装置の構成を示すブロック図である。
【図５】図５は、本発明の実施の形態２における放送受信装置の動作を示すフローチャートである。
【図６】図６は、本発明の実施の形態２における放送受信装置の動作を示すフローチャートである。
【図７】図７は、本発明の実施の形態２における放送受信装置の他の例の動作を示すフローチャートである。
【図８】図８は、本発明の実施の形態３における放送受信装置の構成を示すブロック図である。
【図９】図９は、本発明の実施の形態３における放送送信装置におけるＥＩＴ、ＰＳＩ／ＳＩ及びＥＩＴの一例を示す図である。
【図１０】図１０は、本発明の実施の形態３における放送送信装置における番組付属情報の一例を示す図である。
【図１１】図１１は、本発明の実施の形態３における放送受信装置の動作を示すフローチャートである。
【図１２】図１２は、従来の番組表例のイメージ図である。
【図１３】図１３は、従来の特定放送局の番組表例のイメージ図である。
【図１４】図１４は、従来の特定放送局の番組表例のイメージ図である。
【図１５】図１５は、従来の特定放送局の番組表例のイメージ図である。
【発明を実施するための形態】
【００１６】
（実施の形態１）
以下本発明を実施するための最良の形態について、図面を参照しながら説明する。
【００１７】
図１は本発明の実施の形態１における放送受信装置１００の構成を示すブロック図である。図１に示すように、本発明の実施の形態における放送受信システムは、放送受信装置１００と記録機器１１４とにより構成されている。
【００１８】
ここで、アンテナ１０１はテレビ放送の電波を受信する。このテレビ放送の電波としては、複数の階層により伝送される番組と送信される番組に関する情報が記された番組情報を少なくとも含む。これらの複数の階層により伝送される番組とは、具体的には、一例として、１２セグ放送と１セグ放送を意味している。しかし、本実施の形態はこれに限定されるものではない。また、番組情報とは、例えば、ＰＳＩ／ＳＩ（Ｐｒｏｇｒａｍ  Ｓｐｅｃｉｆｉｃ  Ｉｍｆｏｒｍａｔｉｏｎ／Ｓｅｒｖｉｃｅ  Ｉｍｆｏｒｍａｔｉｏｎ）に含まれるＥＩＴ（Ｅｖｅｎｔ  Ｉｎｆｏｒｍａｔｉｏｎ  Ｔａｂｌｅ）に記述される番組名や番組内容、ジャンル等の情報が含まれる。
【００１９】
放送受信装置１００を構成するチューナ１０２は、ＲＦ信号からユーザーの操作などにより番組のテレビ信号を選局する。復調部１０３は、チューナ１０２により受信したテレビ信号をデジタル信号に復調する。すなわち、受信部としてのチューナ１０２及び復調部１０３は、複数の階層により伝送される番組及び送信される番組に関する情報が記された番組情報を受信する。ＣＰＵ１０４は、バス１０９を介して、放送受信装置１００の各部を制御する。
【００２０】
ユーザーが、後述するリモコン１１５により、記録機器１１４に所定の番組の録画を予め指定した場合に、その録画を予約した番組名や時間等のデータを番組予約情報としてメモリ１０５に記録する。また、メモリ１０５には、上述した番組情報も記録する。表示部１０６は、映像信号を出力し、一方、スピーカ１０７は、音声信号を出力する。
【００２１】
次に、比較部１０８は、上述したメモリ１０５に記録された番組予約情報と、チューナ１０２及び復調部１０３により得られる放送局から送信される第１の階層の番組情報とが、一致するか否かを比較する。特に、本実施の形態においては、放送局から送信される第１の階層としての番組情報とメモリ１０５に記録された番組予約情報との比較を行う。
【００２２】
ここで、第１の階層とは、他の階層と比較して、伝送される番組のデータ量が少ない階層である。すなわち、例えば、１セグ放送を放送している階層である。したがって、第１の階層とは、他の階層と比較して、送信される番組に関する情報が記された番組情報が少ない階層である。具体的には、比較部１０８は、番組予約情報により予約した番組と当該時間において第１の階層としての１セグ放送の番組とが一致するか否かを、例えば、番組のタイトル、出演者、ジャンル、放送時間の少なくともいずれか一つにより比較を行う。
【００２３】
さらに、バス１０９は、放送受信装置１００の各部のデータ信号、制御信号を伝える。ＴＳデコーダ１１０は、トランスポート  ストリーム（Ｔｒａｎｓｐｏｒｔ  Ｓｔｒｅａｍ）を解釈して、映像と音声とのパケットとそれ以外のデータ放送やＥＰＧ（Ｅｌｅｃｔｒｉｃ  Ｐｒｏｇｒａｍ  Ｇｕｉｄｅ）、選局に必要な情報を分離し、映像と音声とのパケットをＡＶデコーダ１１１に送り、データ放送のパケットはＣＰＵ１０４に送る。ＡＶデコーダ１１１は、ＴＳから映像信号と音声信号を復号する。
【００２４】
画像重畳部１１２は、ＡＶデコーダ１１１でデコードされた映像信号と、ＣＰＵ１０４で処理された字幕やデータ放送の画像を重ね合わせ、表示部１０６に送る。表示部１０６は、復号し重畳された映像信号を表示する。
【００２５】
出力部１１３は、上述した番組予約情報に対応する所定の番組について、ＡＶデコーダ１１１でデコードした映像信号や音声信号等を外部の記録機器１１４に出力する。すなわち、出力部１１３は、受信部により受信した第１の階層により伝送された番組を記録部としての記録機器１１４に出力する。
【００２６】
また、リモコン１１５は、番組の選局や音量の調整に加えて、本実施の形態では、ＥＰＧ等を参照しながら、ユーザーが所望の番組を選択し、その選択した情報をリモコン信号として放送受信装置１００に出力する。すなわち、入力部としてのリモコン１１５は、受信部で受信し、出力部１１３により出力する所定の番組を予め指定する番組予約情報を入力する。
【００２７】
さらに、実行部１５０としての通知部１１６は、放送受信装置１００において所定の条件、すなわち、番組予約情報により予約した番組と当該時間において１セグ放送の番組とが一致するという条件を満たした場合に、放送受信装置１００の外部に所定の信号を通知する。通知する方法は、具体的には、通知部１１６は、画面上に「予約番組と１セグ放送の番組とは異なります。」等の文言をＯＳＤ表示する構成により実現することが可能である。すなわち、実行部１５０としての通知部１１６は、比較部１０８により番組予約情報と第１階層の番組情報とが異なる場合には、番組予約情報と第１階層の番組情報とが異なることを通知する。また、別の方法としては、通知部１１６は、番組予約情報の番組名と１セグ放送の番組名とを同一画面上に表示する構成により実現することも可能である。
【００２８】
なお、１セグ放送は、他の階層（１２セグ放送）と比較して、伝送される番組のデータ量が少ない階層であり、また、他の階層（１２セグ放送）と比較して、送信される番組に関連した情報が記された番組情報が少ない階層である。
【００２９】
以上のような構成に基づいて、以下に放送受信装置１００の処理について、詳細に説明する。図２は、本発明の実施の形態１における放送受信装置１００の動作を示すフローチャートである。
【００３０】
まず、放送受信装置１００の録画予約番組を確認するために、録画予約が行われているかを確認する（ステップＳ５０１）。録画予約が行われている場合（ステップＳ５０１の「Ｙｅｓ」）、現在番組を視聴しているか確認する（ステップＳ５０２）。現在番組を視聴している場合（ステップＳ５０２の「Ｙｅｓ」）で、２時間後に開始の予約録画番組があった場合に、現在視聴している番組と２時間後に開始の予約録画番組が同じ放送局であるかを確認する（ステップＳ５０３）。一方、録画予約が行われていない場合（ステップＳ５０１の「Ｎｏ」）、処理を終了する。
【００３１】
番組を視聴していない場合（ステップＳ５０２の「Ｎｏ」）、或いは、番組を視聴中で、視聴番組と予約録画番組の放送局が同じ放送局であった場合（ステップＳ５０３の「Ｙｅｓ」）において、次予約録画番組の開始時間が２時間以内であるかを確認する（ステップＳ５０４）。
【００３２】
次予約録画番組が２時間以内である場合（ステップＳ５０４の「Ｙｅｓ」）、予約録画番組時間帯に放送される番組情報データから、予約録画番組時間帯のワンセグ番組名を取得する（ステップＳ５０５）。一方、次予約録画番組が２時間以内でない場合（ステップＳ５０４の「Ｎｏ」）、処理を終了する。
【００３３】
次予約録画番組が、２時間以内にあった場合（ステップＳ５０４の「Ｙｅｓ」）、予約登録時の予約録画番組名（１２セグの番組名）と、ステップＳ５０５で取得した、予約録画時刻のワンセグ番組名が同じ番組名かを確認する（ステップＳ５０６）。
【００３４】
次予約録画番組が、予約登録時の予約録画番組名（１２セグの番組名）と、ステップＳ５０５で取得した、予約録画時刻のワンセグ番組名が同じ番組名が違った場合（ステップＳ５０６の「Ｎｏ」）、予約番組とワンセグ番組が違うことを、警告する表示を行う（ステップＳ５０７）。一方、予約録画時刻のワンセグ番組名が同じ番組名が同じ場合（ステップＳ５０６の「Ｙｅｓ」）、処理を終了する。
【００３５】
上記処理により、録画する以前に、ワンセグ放送が予約番組と異なることを警告表示される。したがって、非サイマル放送によって、１２セグとワンセグの番組が異なる時間帯を予約録画した場合でも、録画前に、警告表示により録画予約内容が期待通りかを確認ができ、必要に応じて予約録画内容の見直しをユーザーに促すことができる。
【００３６】
なお、本実施の形態において、次予約の開始時間を２時間以内であるかを確認する（ステップＳ５０４）ようにしたが、ワンセグの放送番組名がワンセグ放送開始前にわかる任意の時間であればよい。
【００３７】
なお、本実施の形態のステップＳ５０７において、予約番組とワンセグ番組が違うことを、警告する表示を行っている。しかし、予約番組名（１２セグの番組名）とワンセグ番組名を同時に表示するようにし、予約番組名と予約によるワンセグ番組名が異なることを明示してもよい。このような表示の例を、図３に示す。図３は、本発明の実施の形態１における録画番組一覧例のイメージ図である。図３では、ＨＤＤ（ハードディスク）から、例えばＳＤカードなどの「メディアに持ち出せる番組一覧」の項目に、「選択した録画番組の録画日時」と「録画番組の予約した１２セグ放送の番組名と、実際に録画したワンセグ放送の番組名」を一緒に表示している。したがって、ユーザーは、実際に録画したワンセグ放送の番組が、期待した番組であるかを判断できる。
【００３８】
なお、チューナ１０２が視聴用と録画用と共通とした場合を例としているが、視聴と録画用に夫々チューナを持つような構成とし、視聴中かを確認する処理（ステップＳ５０２）と、現在視聴している番組と次予約録画番組が同じ放送局であるかを確認する処理（ステップＳ５０３）を、行わないようにしてもよい。
【００３９】
（実施の形態２）
実施の形態１においては、放送受信装置１００の通知部１１６は、放送受信装置１００において所定の条件を満たした場合に、放送受信装置１００の外部に所定の信号を通知した。しかし、本実施の形態では、図４に示すように、放送受信装置１００Ａは、さらに設定部１４０を設けている点が異なる。図４は、本発明の実施の形態２における放送受信装置１００Ａの構成を示すブロック図である。なお、図４において、図１と構成要素については、同等な符号を付け、詳細な説明を省略する。
【００４０】
本実施の形態における放送受信装置１００Ａにおいて所定の条件を満ない場合、すなわち、比較部１０８において、番組予約情報に対応する番組と１セグの番組とが一致しない場合、実行部１５０Ａは、メモリ１０５に記録された番組予約情報の実行を停止する。
【００４１】
また、放送受信装置１００Ａにおいて所定の条件を満ない場合、すなわち、比較部１０８において、番組予約情報に対応する番組と１セグの番組とが一致しない場合、その１セグの番組を放送受信装置１００Ａで受信し、記録機器１１４に記録するか否かを設定部１４０に設定する。そして、設定部１４０により第１階層の番組情報に対応する番組を受信部で受信しないと設定した場合、メモリ１０５に記録された番組予約情報の実行を停止する。
【００４２】
図５と図６を用いて、放送受信装置１００Ａの処理を説明する。図５は、本発明の実施の形態２における放送受信装置１００Ａの動作を示すフローチャートである。
【００４３】
まず、放送受信装置１００Ａの録画予約番組を確認するために、録画予約が行われているかを確認する（ステップＳ６０１）。録画予約が行われている場合（ステップＳ６０１の「Ｙｅｓ」）、現在番組を視聴しているか確認する（ステップＳ６０２）。一方、録画予約が行われていない場合（ステップＳ６０１の「Ｎｏ」）、処理を終了する。
【００４４】
現在番組を視聴していない場合（ステップＳ６０２の「Ｎｏ」）で、予約番組の開始時刻になったかを確認する（ステップＳ６０３）。
【００４５】
現在番組を視聴していない場合で、且つ、予約番組の開始時刻になった場合（ステップＳ６０３で「Ｙｅｓ」）に、予約した１２セグ放送の番組と、予約番組と同時間帯の同じ放送局のワンセグ番組を、同時に録画開始を行い、録画開始したワンセグ放送の番組名を取得する（ステップＳ６０４）。一方、予約番組の開始時刻になっていない場合（ステップＳ６０３の「Ｎｏ」）、処理を終了する。
【００４６】
録画開始したワンセグ放送の番組名を取得した後に、予約し録画開始した１２セグ放送の番組名と、録画開始した取得済のワンセグ放送番組名とを比較し、同じ番組名かを確認する（ステップＳ６０５）。
【００４７】
予約番組名と、予約番組時間帯のワンセグ番組名が違う番組名の場合（ステップＳ６０５の「Ｎｏ」）、非サイマル番組時に、ワンセグ放送の番組を録画するか録画しないかを、予めユーザーが選択設定できるような機能を有している。すなわち、次のステップＳ６０６にて、非サイマル番組時にワンセグ放送の番組を録画するかの状態を確認する（ステップＳ６０６）。一方、予約番組名と、予約番組時間帯のワンセグ番組名が同じ番組名の場合（ステップＳ６０５の「Ｙｅｓ」）、処理を終了する。
【００４８】
予約番組名と、予約番組時間帯のワンセグ番組名が違う番組名で、且つ非サイマル番組の録画設定をしていない場合（ステップＳ６０６の「Ｎｏ」）に、録画しているワンセグの番組録画を途中で停止し、途中停止したワンセグの録画番組を削除する（ステップＳ６０７）。そして、一連の処理を終了する。一方、非サイマル番組の録画設定をしている場合（ステップＳ６０６の「Ｙｅｓ」）、処理を終了する。
【００４９】
上記処理により、録画予約した番組は、予め設定された非サイマル放送のワンセグ放送を録画するかの設定によって、非サイマル放送だったことを確認し、ワンセグ放送の録画を中断削除するので、不要な録画データが録画メディアに残ることを防止でき、録画メディアの容量を効率よく使用することができるようになる。
【００５０】
図６は、本発明の実施の形態２における放送受信装置１００Ａの動作を示すフローチャートであり、図５で示したフローチャートの処理一部（ステップＳ６１０とステップＳ６１１との間の処理）を記したフローチャートである。図６において、図５と同じ構成要素については、同じ符号を用い、説明を省略する。本実施の形態では、放送受信装置１００Ａは、非サイマル番組の録画設定をしているかを確認する。そして、非サイマル番組の録画設定をしていない場合、ワンセグの番組録画を停止する。そして、ワンセグの録画番組を削除するように動作する。以下、図５と図６とを用いて、放送受信装置１００Ａの具体的な動作について詳細に説明する。
【００５１】
録画予約しており現在放送を視聴中の場合（図５のステップＳ６０２の「Ｙｅｓ」）に、次予約録画番組の開始時間になったかを確認する（ステップＳ７０１）。
【００５２】
次予約録画番組の開始時刻になった場合（ステップＳ７０１の「Ｙｅｓ」）、視聴している番組の放送局と、録画開始時刻となった予約録画番組の放送局が同じであるかを確認する（ステップＳ７０２）。一方、次予約録画番組の開始時刻になっていない場合（ステップＳ７０１の「Ｎｏ」）、処理を終了する。
【００５３】
予約録画開始時刻になった番組と、現在視聴番組の放送局が同じであった場合（ステップＳ７０２の「Ｙｅｓ」）に、録画開始時刻になった予約番組（１２セグ放送）と同時間帯の同じ放送局のワンセグ番組を、同時に録画開始を行い、録画開始したワンセグ放送の番組名を取得する（ステップＳ７０３）。一方、予約録画開始時刻になった番組と、現在視聴番組の放送局が同じでなかった場合（ステップＳ７０２の「Ｎｏ」）、ステップＳ７０７に進む。そして、「録画予約番組の時刻です。チャンネルを切り替えてください。」などと警告メッセージを表示し、処理を終了する。
【００５４】
予約番組名と、予約番組時間帯のワンセグ番組名が違う番組名の場合（ステップＳ７０４の「Ｎｏ」）、非サイマル番組時に、ワンセグ放送の番組を録画するか録画しないかを、予めユーザーが選択設定できるような機能を有している。すなわち、次のステップＳ７０５にて、非サイマル番組時にワンセグ放送の番組を録画するかの状態を確認する（ステップＳ７０５）。一方、予約番組名と、予約番組時間帯のワンセグ番組名が同じ番組名の場合（ステップＳ７０４の「Ｙｅｓ」）、処理を終了する。
【００５５】
予約番組名と、予約番組時間帯のワンセグ番組名が違う番組名で、且つ非サイマル番組の録画設定をしていない場合（ステップＳ７０５の「Ｎｏ」）に、録画しているワンセグの番組録画を途中で停止し、途中停止したワンセグの録画番組を削除する（ステップＳ７０６）。そして、一連の処理を終了する。一方、非サイマル番組の録画設定をしている場合（ステップＳ７０５の「Ｙｅｓ」）、処理を終了する。
【００５６】
上記処理により、番組を視聴している状態の場合も、録画予約した番組は、予め設定された非サイマル放送のワンセグ放送を録画するかの設定によって、非サイマル放送だったことを確認し、ワンセグ放送の録画を中断削除する。したがってので、不要な録画データが録画メディアに残ることを防止でき、録画メディアの容量を効率よく使用することができるようになる。
【００５７】
なお、現時刻が予約番組の開始時刻と同じであるか（ステップＳ６０３、ステップＳ７０１）としているが、ワンセグの放送番組が放送前にわかる時刻、例えば、テレビ局によってはワンセグ放送の番組表を２番組分しか放送していないことから、３０分番組２つ分に相当する１時間前にするとかにしてもよい。
【００５８】
なお、チューナ１０２が視聴用と録画用と共通とした場合を例としているが、視聴と録画用に夫々チューナを持つような構成とし、視聴中かを確認する処理（ステップＳ６０２）と、視聴中している時の処理（ステップＳ６０２の「Ｎｏ」以降の処理）を、行わないようにしてもよい。
【００５９】
本実施の形態では、放送受信装置１００Ａは、非サイマル番組の録画設定をしているかを確認する。そして、非サイマル番組の録画設定をしていない場合、ワンセグの番組録画を停止する。そして、ワンセグの録画番組を削除するように動作する例について説明した。以下では、予約番組と、予約番組時間帯のワンセグ番組名が同じかどうかを確認する。そして、予約番組と、予約番組時間帯のワンセグ゛番組名が同じ場合、デコードし、ワンセグ相当として、録画する例について説明する。図７は、本発明の実施の形態２における放送受信装置１００Ａの他の例の動作を示すフローチャートである。
【００６０】
まず、放送受信装置１００Ａの録画予約番組を確認するために、録画予約が行われているかを確認する（ステップＳ７５１）。録画予約が行われている場合（ステップＳ７５１の「Ｙｅｓ」）、現在番組を視聴しているか確認する（ステップＳ７５２）。一方、録画予約が行われていない場合（ステップＳ７５１の「Ｎｏ」）、処理を終了する。
【００６１】
次に、現在番組を視聴していない場合（ステップＳ７５２の「Ｎｏ」）、次の予約番組の開始時刻が２時間以内であるかを確認する（ステップＳ７５４）。また、現在番組を視聴している場合（ステップＳ７５２の「Ｙｅｓ」）、視聴番組と次の予約番組の放送局が同じかどうかを確認する（ステップＳ７５３）。両者が同じ場合（ステップＳ７５３の「Ｙｅｓ」）、ステップＳ７５４に進む。また、両者が異なる場合（ステップＳ７５３の「Ｎｏ」）、処理を終了する。
【００６２】
次の予約番組の開始時刻が２時間以内である場合に（ステップＳ７５４で「Ｙｅｓ」）、予約番組の時間帯の同じ放送局のワンセグ番組名を取得する（ステップＳ７５５）。また、次の予約番組の開始時刻が２時間以内でない場合（ステップＳ７５４の「Ｎｏ」）、処理を終了する。
【００６３】
予約番組名と、予約番組の時間帯のワンセグ番組名とを比較し、同じ番組名かを確認する（ステップＳ７５６）。両者が、同じ番組名でない場合（ステップＳ７５６の「Ｎｏ」）、ＡＶエンコーダ１１７において予約番組をワンセグ相当としてエンコードし、出力部１１３に出力させる（ステップＳ７５７）。そして、その出力された信号を記録機器１１４に録画させる。そして、一連の処理を終了する。一方、両者が、同じ番組名である場合（ステップＳ７５６の「Ｙｅｓ」）、処理を終了する。
【００６４】
上記したように、本実施の形態における放送受信装置１００Ａの他の例において、放送受信装置１００Ａは、番組予約情報に基づいて予約番組をワンセグ放送相当としてエンコードするＡＶエンコーダ１１７をさらに備えている。そして、実行部１５０Ａは、比較部１０８により番組予約情報と第１階層の番組情報とが異なる場合に、ＡＶエンコーダ１１７に、番組予約情報に基づいて予約番組をワンセグ放送相当としてエンコードさせ、ワンセグ放送相当の予約番組を、出力部１１３に出力させる。そして、その出力された信号を記録機器１１４に録画させる。
【００６５】
上記したように本実施の形態のおける放送受信装置１００Ａの他の例では、番組予約情報に基づいて予約番組をワンセグ放送相当としてエンコードするＡＶエンコーダ１１７をさらに備えている。そして、録画予約した番組が、非サイマル放送だった場合、番組予約情報に基づいて予約番組をワンセグ放送相当としてＡＶエンコーダ１１７に、エンコードさせ、ワンセグ放送相当の予約番組を記録機器１１４に録画させる。したがって、不要な録画データが録画メディアに残ることを防止でき、録画メディアの容量を効率よく使用することができるようになる。
【００６６】
（実施の形態３）
実施の形態１、２においては、放送受信装置１００、１００Ａ、及び放送受信方法について説明した。本実施の形態においては、図８に示す放送送信装置２００について説明する。本実施の形態では、放送送信装置２００を工夫することにより、ユーザーが１２セグ放送で予約したはずの番組とは異なる番組を、ワンセグ放送で録画してしまう課題を解決する手段について説明する。図８は本発明の実施の形態３における放送送信装置２００の構成を示すブロック図である。
【００６７】
図８に示すように放送送信装置２００は、映像音声信号発生部２０１、データ放送信号発生部２０２、映像音声エンコーダ２１０、データエンコーダ２１１、ＴＳエンコーダ２１５、変調部２１６、アップコンバータ２１７、送信アンテナ２２０、ＥＰＧ信号発生部２０３、及びＥＰＧ送出部２１２を備えている。
【００６８】
映像音声信号発生部２０１は、放送する映像音声信号を入力し、映像音声エンコーダ２１０へ出力する。映像音声エンコーダ２１０は、映像音声信号をデジタル信号に変換し、ＭＰＥＧ２方式などによりデジタル圧縮を施し、映像音声信号のＴＳ（トランスポートストリーム）を生成する。そして、生成した映像音声信号のＴＳをＴＳエンコーダ２１５に入力する。
【００６９】
データ放送信号発生部２０２は、データ放送の信号を生成し、データエンコーダ２１１へ出力する。データエンコーダ２１１は、データ放送の信号をエンコードし、ＴＳエンコーダ２１５に入力する。
【００７０】
ＴＳエンコーダ２１５は、映像音声信号とデータのＴＳを多重化し、変調部２１６に出力する。変調部２１６は、入力された信号を例えば、ＯＦＤＭ（Ｏｒｔｈｏｇｏｎａｌ  Ｆｒｅｑｕｅｎｃｙ  Ｄｉｖｉｓｉｏｎ  Ｍｕｔｉｐｌｅｘｉｎｇ）方式などのデジタル変調を行い、アップコンバータ２１７に出力する。アップコンバータ２１７は、入力されたデジタル変調信号を例えば、ＵＨＦ帯の放送波に周波数変換する。
【００７１】
送信アンテナ２２０は、デジタル変調されたＵＨＦ帯の放送波を、所定の地域に向けて送信する。
【００７２】
ＥＰＧ信号発生部２０３は、複数の階層により伝送される番組及び送信される番組に関する情報が記された番組表を作成するためのデータを生成し、ＥＰＧ送出部２１２へ入力する。ＥＰＧ送出部２１２は、複数の放送局の番組表を統合するために、放送局ごとの番組表を作成するためのデータを送出する。送出された複数の放送局の番組表は、統合されて特定の放送局（図示せず）においてデジタル変調されて、放送される。
【００７３】
図９は、本発明の実施の形態３における放送送信装置２００におけるＥＩＴ、ＰＳＩ／ＳＩ及びＥＩＴの一例を示す図である。図９に示すように、ＳＩにおける非サイマルワンセグ放送を含むイベントの識別仕様として、ＥＩＴに配置されているコンテント記述子における番組特性コードを拡張定義する。これにより、非サイマルのワンセグ放送を含むイベントが、ＥＰＧなど番組情報表示時にも利用者に容易に識別できるようになる。
【００７４】
すなわち、第１の階層により非サイマル放送を放送する場合、上述したデータに含まれるコンテント記述子に非サイマル放送であることを表すフラグを有するように定義する。具体的には、例えば、非サイマルのワンセグ番組識別情報符号化規定として、「運用規定の第二分冊地上デジタルテレビジョン放送（ＴＲ−Ｂ１４）、ＰＳＩ／ＳＩ運用規定第四編付録Ｂに対し、図１０に示すように、番組特性コード表の番組属性情報（ｕｓｅｒ＿ｎｉｂｂｌｅ）に「非サイマルのワンセグ番組識別情報」を追加する。さらに、詳細には、映像番組識別情報の送出運用規則として、ＥＩＴのコンテント記述子に記載する番組属性情報の送出運用規則を次の通りとする。
【００７５】
１）“０ｘ３０”：当該イベント中に非サイマルのワンセグ放送が有り、当該イベント中に非サイマルのワンセグ放送を含む放送サービスが、予定されている場合に使用する。
【００７６】
２）“０ｘ３１”〜“０ｘ３Ｅ”：予約済み（ｒｅｓｅｒｖｅｄ）。将来、非サイマルのワンセグ番組識別情報を追加する場合のために確保しておくエリア。当面はこれらの値は指定しない。
【００７７】
３）“０ｘ３Ｆ”：未定義。当面、この値は指定しない。
【００７８】
図１０は、本発明の実施の形態３における放送送信装置２００における番組付属情報の一例を示す図である。図１０では、図９で説明したように、当該イベント中のワンセグ放送を含む放送サービスが、予定されている場合、例えば、番組特性コード表の番組属性情報の“０ｘ３０”において、「当該イベント中に非サイマルのワンセグ放送有り」としてフラグを立てる。すなわち、ここにフラグが立っている場合、ワンセグ放送を含む放送サービスが、非サイマルの放送であることを示す。したがって、放送受信装置１００Ｂは、このフラグが立っているかどうかを確認することにより、容易に当該イベント中に非サイマルのワンセグ放送が有ることを認識できる。なお、放送受信装置１００Ｂは、例えば、図１、図４に示した放送受信装置１００、放送受信装置１００Ａと同等な構成でもよい。
【００７９】
図１１を用いて、放送受信装置１００Ｂの処理を説明する。図１１は、本発明の実施の形態３における放送受信装置１００Ｂの動作を示すフローチャートである。ここでは、非サイマルのワンセグ放送が有るかどうかについて、確認し録画予約を行う動作について、説明する。他の動作については、実施の形態１、２において前述した動作と同等な部分については説明を省略する。
【００８０】
まず、放送受信装置１００Ｂの録画予約番組を確認するために、録画予約が行われているかを確認する（ステップＳ８０２）。録画予約が行われている場合（ステップＳ８０２の「Ｙｅｓ」）、非サイマルフラグは真か確認し、非サイマルのワンセグ放送かどうか確認する（ステップＳ８０４）。
【００８１】
サイマル放送の場合（ステップＳ８０２の「Ｎｏ」）、番組の録画予約をし（ステップＳ８０６）、処理を終了する。一方、非サイマル放送の場合（ステップＳ８０４の「Ｙｅｓ」）、非サイマル放送であることを放送受信装置１００Ｂは認識し、予約番組とワンセグ番組が違うことを、警告する表示を行う（ステップＳ８０８）。
【００８２】
次に、非サイマル番組の録画設定をするかをユーザーに確認する（ステップＳ８１０）。この場合、例えば、予約番組名（１２セグ放送の番組名）とワンセグ番組名を同時に表示するようにし、予約番組名と予約によるワンセグ番組名が異なることを明示してもよい。ユーザーが、リモコン１１５などを用いて、録画すると設定した場合（ステップＳ８１０の「Ｙｅｓ」）、ステップＳ８０６に進む。一方、ユーザーが録画しないと、リモコン１１５などを用いて設定した場合（ステップＳ８１０の「Ｎｏ」）、一連の動作を終了する。
【００８３】
上記したように本実施の形態における放送送信装置１００Ｂにおいては、ワンセグ放送が、サイマル放送でなかったことが表示される。したがって、録画予約者が、意図しない放送を録画したことを、事前確認ができる。
【産業上の利用可能性】
【００８４】
本発明によれば、ユーザーが、１２セグ放送とワンセグ放送の番組が、サイマル放送かそうでないかを意識せず、ワンセグ放送の番組の持ち出しのために録画設定を行った場合、実際に録画した番組を視聴する前に、ＴＶ画面にて、予約した番組と同じであるかを確認することができる。したがって、ユーザーが意図としない録画番組を持ち出しすることを軽減することが可能となるため、地上デジタル放送に含まれるワンセグ放送と１２セグ放送を同時に記録可能な記録再生装置、携帯端末装置、記録再生システムに有用である。
【符号の説明】
【００８５】
１００，１００Ａ，１００Ｂ    放送受信装置
１０１    アンテナ
１０２    チューナ
１０３    復調部
１０４    ＣＰＵ
１０５    メモリ
１０６    表示部
１０７    スピーカ
１０８    比較部
１０９    バス
１１０    ＴＳデコーダ
１１１    ＡＶデコーダ
１１２    画像重畳部
１１３    出力部
１１４    記録機器
１１５    リモコン
１１６    通知部
１１７    ＡＶエンコーダ
１４０    設定部
１５０，１５０Ａ    実行部
２００    放送送信装置
２０１    映像音声信号発生部
２０２    データ放送信号発生部
２０３    ＥＰＧ信号発生部
２１０    映像音声エンコーダ
２１１    データエンコーダ
２１２    ＥＰＧ送出部
２１５    ＴＳエンコーダ
２１６    変調部
２１７    アップコンバータ
２２０    送信アンテナ
【図１】
2011027544.tif 000003
【図２】
2011027544.tif 000004
【図３】
2011027544.tif 000005
【図４】
2011027544.tif 000006
【図５】
2011027544.tif 000007
【図６】
2011027544.tif 000008
【図７】
2011027544.tif 000009
【図８】
2011027544.tif 000010
【図９】
2011027544.tif 000011
【図１０】
2011027544.tif 000012
【図１１】
2011027544.tif 000013
【図１２】
2011027544.tif 000014
【図１３】
2011027544.tif 000015
【図１４】
2011027544.tif 000016
【図１５】
2011027544.tif 000017
【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
複数の階層により伝送される番組及び送信される番組に関する情報が記された番組情報を受信する受信部と、
前記受信部により受信した第１の階層により伝送された番組を記録部に出力する出力部と、
前記受信部で受信し、前記出力部により出力する所定の番組を予め指定する番組予約情報を入力する入力部と、
前記入力部により指定された前記番組予約情報を記録するメモリと、
前記メモリにより記録した番組予約情報と、前記受信部により受信した前記第１の階層の番組情報とを比較する比較部と、
前記番組予約情報と前記第１階層の番組情報とが異なる場合、
前記番組予約情報と前記第１階層の番組情報とが異なることを通知する実行部としての通知部と、を備える放送受信装置。
【請求項２】
前記実行部は、前記番組予約情報と前記第１階層の番組情報とを同時に表示することにより通知を行う請求項１記載の放送受信装置。
【請求項３】
前記実行部は、前記メモリに記録された前記番組予約情報の実行を停止する請求項１記載の放送受信装置。
【請求項４】
前記実行部は、前記番組予約情報と前記第１階層の番組情報とが異なる場合、前記第１階層の番組情報に対応する番組を前記受信部で受信するか否かを設定する設定部を、さらに備え、
前記設定部により前記第１階層の番組情報に対応する番組を前記受信部で受信しないと設定した場合、
前記メモリに記録された前記番組予約情報の実行を停止する請求項３記載の放送受信装置。
【請求項５】
前記第１の階層とは、他の階層と比較して、伝送される番組のデータ量が少ない階層である請求項１記載の放送受信装置。
【請求項６】
前記第１の階層とは、他の階層と比較して、前記送信される番組に関する情報が記された番組情報が少ない階層である請求項１記載の放送受信装置。
【請求項７】
前記比較部は、前記番組予約情報と前記第１の階層の番組情報との番組のタイトル、出演者、放送時間の少なくともいずれか一つにより比較を行う請求項１記載の放送受信装置。
【請求項８】
前記番組予約情報に基づいて予約番組をワンセグ放送相当としてエンコードするＡＶエンコーダを、さらに備え、
前記実行部は、前記比較部により前記番組予約情報と前記第１階層の番組情報とが異なる場合、
前記ＡＶエンコーダに、前記番組予約情報に基づいて前記予約番組をワンセグ放送相当としてエンコードさせ、
前記ワンセグ放送相当の前記予約番組を、前記出力部に出力させる、
請求項１記載の放送受信装置。
【請求項９】
受信部において、複数の階層により伝送される番組及び送信される番組に関する情報が記された番組情報を受信するステップと、
出力部において、前記受信部により受信した第１の階層により伝送された番組を記録部に出力するステップと、
入力部において、前記受信部で受信し、前記出力部により出力する所定の番組を予め指定する番組予約情報を入力するステップと、
メモリにおいて、前記入力部により指定された前記番組予約情報を記録するステップと、
比較部において、前記メモリにより記録した前記番組予約情報と、前記受信部により受信した前記第１の階層の前記番組情報とを比較するステップと、
実行部としての通知部において、前記番組予約情報と前記第１階層の前記番組情報とが異なる場合、
前記番組予約情報と前記第１階層の前記番組情報とが異なることを通知するステップと、
を備える放送受信方法。
【請求項１０】
前記実行部において、前記番組予約情報と前記第１階層の番組情報とを同時に表示することにより通知を行う請求項９記載の放送受信方法。
【請求項１１】
前記実行部において、前記メモリに記録された前記番組予約情報の実行を停止する請求項９記載の放送受信方法。
【請求項１２】
設定部において、前記番組予約情報と前記第１階層の番組情報とが異なる場合、
前記第１階層の番組情報に対応する番組を前記受信部で受信するか否かを設定するステップを、さらに備え、
前記設定するステップにより前記第１階層の番組情報に対応する番組を前記受信部で受信しないと設定した場合、
前記メモリに記録された前記番組予約情報の実行を停止する請求項１１記載の放送受信方法。
【請求項１３】
前記第１の階層とは、他の階層と比較して、伝送される番組のデータ量が少ない階層である請求項９記載の放送受信方法。
【請求項１４】
前記第１の階層とは、他の階層と比較して、前記送信される番組に関する情報が記された番組情報が少ない階層である請求項９記載の放送受信方法。
【請求項１５】
前記比較部において、前記番組予約情報と前記第１の階層の番組情報との番組のタイトル、出演者、放送時間の少なくともいずれか一つにより比較を行う請求項９記載の放送受信方法。
【請求項１６】
前記実行部において、前記比較部により前記番組予約情報と前記第１階層の番組情報とが異なる場合、
前記ＡＶエンコーダに、前記番組予約情報に基づいて前記予約番組をワンセグ放送相当としてエンコードさせ、
前記ワンセグ放送相当の前記予約番組を、前記出力部に出力させる、
請求項９記載の放送受信方法。
【請求項１７】
（削除）
【請求項１８】
（削除）
【国際調査報告】
2011027544.tif 000018
2011027544.tif 000019